Podtech/llm-jp-corpus-v4-ja_patent huggingface dataset:
(57)【要約】【課題】  洗浄工程による低生産性と洗浄工程による形成された接着剤の形態変化及び使用回数が限られてしまう不都合の解決。【解決手段】  耐熱性のゴムを使用し、ゴムの性質を利用してプリント基板を保持する方法により解決する。【選択図】図１
2010171353.tif 000002
【特許請求の範囲】
【請求項１】
プレート状の冶具の表面に耐熱性ゴムを重着させ、プリント基板を基板納置面で保持するの冶具であって、前記基板納置面がプリント基板実装用保持冶具。
【請求項２】
プレート状の冶具は、アミドイミド樹脂やエボキシ樹脂、ガラス繊維等を含んだ半導電積層板である請求項１に記載の基板実装用保持冶具。
【請求項３】
プレート状の冶具は、チタン合金である請求項１に記載の基板実装用保持冶具。
【請求項４】
プレート状の冶具は、アルミニウム合金である請求項１に記載の基板実装用保持冶具。
【請求項５】
プレート状の冶具は、ステンレス材である請求項１に記載の基板実装用保持冶具。
【請求項６】
前記プレート状の冶具に、プリント基板を納置するための凹部を形設した請求項１乃至５のいずれかに記載の基板実装用保持冶具。
【発明の詳細な説明】
【技術分野】
【０００１】  本発明は、プリント基板に電子部品を実装する作業工程で使用される、プリント基板を保持搬送するためのプリント基板保持搬送冶具及びプリント基板の保持方法に関する。
【背景技術】
【０００２】  プリント基板の表面実装工程及びリフロー工程において、プレート状の冶具の表面にプリント基板を固定するための繰り返し着脱可能な接着剤層を形成した冶具によりプリント基板を保持搬送する方法が多く利用されている。（例えば、特許文献１参照。）。【０００３】  しかし、前記の従来技術では、表面実装工程及びリフロー工程の際、またはプリント基板着脱の際に汚れが接着剤に付着して接着力が弱まるため、使用する度に洗浄しなければならない。そのため、繰り返し行われる洗浄により形成された接着剤が磨り減ってしまう現象が生じ、使用回数３００回から４００回程度で使用不可能となることが懸念されている。【０００４】  また、前記の従来技術は、フレキシブル基板や薄いプリント基板での使用に適した技術分野である。そのため、厚みのあるプリント基板での使用は適していない
【特許文献１】特開２００１−１４４４３０号公報
【発明の概要】
【発明が解決しようとする課題】  本発明は、前途の課題を踏まえ、簡易に繰り返しプリント基板の着脱が可能で、電子部品の表面実装工程及びリフロー工程において、使用可能回数を増大させ、洗浄工程を削減する。また、電子部品の実装工程の効率化及び生産性の向上を目的としたプリント基板を保持搬送するためのプリント基板保持冶具及び電子基板保持方法を課題とする。
【課題を解決するための手段】
【０００５】  本考案のプリント基板実装用保持冶具は、プリント基板を凹設した納置面で保持するプレート状の冶具である。冶具の表面に耐熱性ゴムを重着し、プリント基板の外形及び形状に沿って自動工具交換機能を備えた工作機械等を用いて、プリント基板を納置するための溝を凹設する。また、その溝及びプリント基板を納置した下部の冶具にプリント基板をプリント基板実装用保持冶具から抜脱するための穴を貫設する。これにより、冶具から電子基板の着脱が可能となる。【０００６】  また、プレート状の冶具としては、アミドイミド樹脂やエボキシ樹脂、ガラス繊維等を含んだ半導電積層板、チタン合金、アルミニウム合金、ステンレス材等が用いられる。【０００７】  本発明の電子基板保持搬送方法は、工作機械等を用いてプレート状の冶具と帯状の耐熱性ゴムを重着する。その状態で工作機械等を用いてザグリ加工を施し凹設することにより、冶具にザグリ加工を施した凹部の外形よりゴムに施した凹部の外形が１ｍｍ程度（但し、条件によって異なる）小さくなるというゴムの性質を利用し電子基板を固定する。繰り返し使用しても適度な力で納置されるため着脱が簡易であり、ゴムの耐久性においても撓み等の虞はない。
【発明の効果】
【０００８】  本発明により、接着剤等を使用する方法とは異なり、汚れの付着を避けることができるため、洗浄する工程が削減される。また、ゴムを使用しているため繰り返しの使用によって、磨り減る等の形態の変化も避けることができる。
【発明を実施するための最良の形態】
【０００９】  本発明のプリント基板実装用保持冶具は、図１に示すように、プレート状の冶具１の表面に帯状の耐熱性ゴム２を重着した形態から成る。プレート状の冶具１は耐熱性である、アミドイミド樹脂やエボキシ樹脂、ガラス繊維等を含んだ半導電積層板（例えば、ニッカン工業株式会社製ニカプレート）やチタン合金、アルミニウム合金、ステンレス材等の板状である。耐熱性ゴム２は、耐熱性を備えたシリコーン系やフッ素系等を素材とする。【００１０】  プレート状の冶具１と耐熱性ゴム２を重着した状態で、プリント基板３に合わせザグリ加工を施し、凹部４を形設する。さらに、ザグリ加工を施したプレート状の冶具１及びプリント基板３を納置した下部に基板抜脱用押し穴を貫設する。【００１１】  プリント基板実装用保持冶具を用いたプリント基板の保持方法は、図１に示すように、ザグリ加工を施した凹部４の耐熱性ゴム２で挟持する。尚、プリント基板３はプリント配線基板用である。
【産業上の利用可能性】
【０００１２】  本発明は、需要層が広く、少量生産も大量生産も可能なためで利用可能性を有する。
【図面の簡単な説明】
【０００１３】
【図１】本考案の耐熱性ゴムを重着したプリント基板実装用保持冶具の断面図である。
【図２】従来の接着剤層を形成したプリント基板実装用保持冶具の断面図である
【符号の説明】
【０００１４】１    プレート状の冶具
２    耐熱性ゴム
３    プリント基板
４    凹部
５    基板抜脱用押し穴
６    接着剤層
【図１】
2010171353.tif 000003
【図２】
2010171353.tif 000004
(57)【要約】      （修正有）【課題】チューブとの接続部の漏水やチューブからの液の蒸発が起きないようにした一体式小型液冷装置を提供する。【解決手段】小型液冷装置は、ラジェーター６下部にスラストインペラー式循環ポンプを組み込み、作動音の低減と共に、接続用のチューブを不要にした。また半導体との熱交換器４はラジェーター６上部に直接取り付け、この部分の接続用チューブを不要にした。ラジェーター６上部には、エア抜きおよび液の充填用の穴２を設けた。このように循環ポンプ、ラジェーター６、半導体素子用熱交換機４を一体化することにより、冷却対象となる機器に直接取り付けることで、簡単に液冷冷却システムの構築が可能となる。【選択図】図１
2010171284.tif 000002
【特許請求の範囲】
【請求項１】
循環ポンプ、液冷用ラジェーター、半導体素子用熱交換器を一体化した液冷装置 
【発明の詳細な説明】
【技術分野】
【０００１】
本発明は半導体などの冷却に利用する、液冷装置に関するものである。 
【背景技術】
【０００２】
半導体の動作スピードが上がるに連れその消費電力も増加し、送風ファンだけでは冷却効果が足りなくなっている。また電子冷却のような素子についても効果的な冷却が必要なため、効率の良い液冷式の冷却システムが求められている。 
【発明の開示】
【発明が解決しようとする課題】
【０００３】
液冷そのものは車のラジェーターなどのように、古くから利用されている技術である。同じように半導体チップを冷却するのにも使われているが、車と違って水漏れなどが起こると、致命的な損害が発生する。しかし、従来の液冷システムはポンプやラジェータ、熱交換器などをチューブで接続するものが主流で、接続部の漏水とともにチューブからの液の蒸発などの問題が起こっていた。   
【課題を解決するための手段】
【０００４】
それらを解消するため、循環ポンプ、ラジェーター、半導体素子用熱交換機を一体化した小型液冷装置を開発した。ラジェーター下部にスラストインペラー式循環ポンプを組み込み、作動音の低減と共に、接続用のチューブを不要にした。また半導体との熱交換器もラジェーター上部に直接取り付け、この部分の接続用チューブも不要にした。ラジェータ上部には、エア抜きおよび液の充填用の穴も設けた。この装置を冷却相手に直接取り付けることで、簡単に液冷冷却システムを構築することができる。 
【発明の効果】
【０００５】
その結果、メンテナンス不要で効率の良い液冷システムを利用することが可能になった。従来は機器の選定や、部品の組立、配管、液の充填、配管内のエア抜きなど、システムの構築および試験に手間がかかっていたが、この装置を利用することで簡単に液冷システムを利用することができる。特にエア抜きは安定した動作に必要であるが、配管内に空気が溜まったりして非常に手間がかかった。本装置では経路の最上部にエア抜き兼、液の充填口があるため、簡単にエア抜きができる。また液の充填も容易である。 
【産業上の利用可能性】
【０００６】
冷却用コンプレッサーに使われる冷媒ガスは、地球温暖化などの元凶とされ削減が進められている。そのため冷媒を使わない電子冷却システムの需要が増えている。中でも安定性の高い液冷システムが求められている。一体型の液冷システムは長期間メンテナンス無しで利用でき、取り付けの簡便性からも産業上の利用価値は非常に高いと思われる。
【図面の簡単な説明】
【０００７】
【図１】全体の構成図である。
【符号の説明】
【０００８】
１）ラジェーター冷却水出口
２）エア抜き兼液充填口
３）ラジェーター冷却水入口
４）半導体素子用熱交換器
５）冷却ファン取り付け穴 
６）ラジェーター
７）循環ポンプインペラー
８）循環ポンプ駆動マグネット
９）循環ポンプ用モーター
【図１】
2010171284.tif 000003
(57)【要約】【課題】  従来のヘッドホンの音像が頭部内側に定位する不具合を解決すること。【解決手段】  ドライバーユニット１の片側側面をハウジング３の内側前面部に接して設置することにより、ハウジング内側前方の逆位相音の干渉する空間を抑制し、振動板２の裏側と周りに音が干渉するための空間を設け、ハウジング内側後方部分の干渉空間を広くすることにより逆位相音がハウジング内側後方で強調して干渉する構造を成すことにより、ハウジング内側に前後方向に対する逆位相音の干渉度合いの偏りを生じさせ、聴覚による音の方向を認知する機能により音像が頭部前方に定位して感じられるヘッドホンを得る。【選択図】図１
2010171912.tif 000002
【特許請求の範囲】
【請求項１】
ドライバーユニットの振動板の振動により、振動板の両面から発生するそれぞれ逆の位相音を干渉させ、ハウジング内側前方部分の音の位相干渉を抑制し、後方部分の位相干渉を強調する構造を成し、前後の干渉度合いに偏りを生じさせることにより、音像が頭部前方に定位して感じられることを特徴とするヘッドホン。
【請求項２】
ハウジング内側前方での音の位相干渉を抑制するために、ドライバーユニットの側面の片側をハウジング内側前面部に接して取付け、振動板の裏側と周りに逆位相音が干渉するための空間を設け、ハウジング内側後方部分の干渉空間を広くすることにより逆位相音の干渉が後方部分で強調される構造を成し、音像が頭部前方に定位して感じられることを特徴とするヘッドホン。
【発明の詳細な説明】
【技術分野】
【０００１】  本発明は、ヘッドホンに関するものであり、振動板の両面から発生するそれぞれ逆の位相音をハウジング内部で偏って干渉させる工夫を加える事によって、聴覚による音の方向性を認知する機能により、音像が頭部前方に定位して感じられるヘッドホンを提供するものである。
【背景技術】
【０００２】  従来から、ヘッドホンの音像は頭部内部に定位して感じられるものであった。そのため音の広がりや臨場感を得るためのヘッドホンが考案されてきた。その例として特許文献１に開示されているものがある。
【特許文献１】  特開２００５−１１７５９４号広報
【発明の開示】
【発明が解決しようとする課題】
【０００３】  従来のヘッドホンでは、音像が頭部内部に定位して感じられるため、音に広がりが感じられず臨場感に乏しいという欠点があった。本発明は、このような、音像が頭部内部に定位するという不具合を解決することを課題とする。
【課題を解決するための手段】
【０００４】  この課題を解決するための請求項１の発明は、振動板の振動により両面から発生するそれぞれ逆の位相音を、ハウジング内側で偏って干渉させる構造を成すことを特徴とする。ドライバーユニットの取付け位置や角度及びハウジングの形状や吸音材の使用、またはそれらの組み合わせなどの方法により、ハウジング内側の前方部分に対する位相干渉を抑制し後方部分の位相干渉を強調することにより、逆位相音の干渉度合いに偏りを生じさせ、聴覚による音の方向性を認知する機能により音像が頭部前方に定位して感じられるヘッドホンを得ることができる。【０００５】  また、請求項２の発明は、ドライバーユニットの片側側面をハウジング内側前面部に接して設置することにより、振動板前方の干渉空間を抑制し、振動板の裏側と周りに音が干渉するための空間を設け、後方部分の干渉空間を広くして逆位相音がハウジング内部後方部分を強調して干渉する構造を成すことにより、逆位相音の干渉度合いに偏りを生じさせることができる。そのため、聴覚による音の方向性を認知する機能によって音像が頭部前方に定位して感じられるヘッドホンが得られる。
【発明の効果】
【０００６】  本発明により、ヘッドホンの音像が頭部内部に定位するという不具合が解消され、音像が頭部前方に定位して感じられることによって、より自然な感覚で聞くことができ臨場感を得ることができる。【０００７】  本発明のように、振動板の逆位相音を利用し効果を得る構造とすることで、部品数が少なくてすみ安価に製作することが可能である。
【発明を実施するための最良の形態】
【０００８】  図１は、右側ヘッドホンのドライバーユニットの片側側面をハウジング内側前面部に接して設置することにより、前方向に空間ができないようにし、振動板の裏側と周りに逆位相音が干渉するための空間を設け、後方部分の干渉空間を広くして、逆位相音がハウジング内側後方で強調して干渉する構造を成すことにより、ハウジング内側の前方と後方の逆位相音干渉度合いに偏りを生じさせ、音像が頭部前方に定位して感じられるようにしたことを特徴とし、左側のヘッドホンも対称的に構造を成し効果を得るものである。【０００９】  図２は、本発明によって前後方向に対する逆位相音の干渉度合いの偏りがもたらす効果によって、聴覚による音の方向を認知する機能により音像が頭部前方に定位して感じられることを特徴とする。【００１０】  また、ヘッドホン内に複数のドライバーユニットを取付け、逆位相音の干渉の偏りを意図的に作りだし、本発明と同様の効果を得るものでも良く、小型化してイヤホン型にしたものでも良い。
【産業上の利用可能性】
【００１１】  本発明に係るヘッドホンは、工業的に量産することが可能であるため、産業上の利用可能性を有する。
【図面の簡単な説明】
【００１２】
【図１】  左右対をなすヘッドホンの右側部分の斜視図である。
【図２】  音像が頭部前方に定位する様子を表す説明図である。
【符号の説明】
【００１３】  １    ドライバーユニット
２    振動板
３    ハウジング
４    コード
５    ヘッドバンド
６    頭部
７    ヘッドホン
８    音像の概念
【図１】
2010171912.tif 000003
【図２】
2010171912.tif 000004
(57)【要約】【課題】  本発明は、スプーンにフォーク機能をもたせてスプーンとフォークを組み合わせ構造にし、従来のスプーンの凹みを持たせて掬う機能、従来のフォークの突き刺し、掬い、からませるたりできる機能をもたせたフォーク兼用スプーンを提供することにある。【解決手段】  上記課題を解決するため、本発明に係るフォーク兼用スプーンは、スプーン部２の先端のフォーク部３をスプーン部２の底部の湾曲の延長線上に従来のフォーク形状に類似するようなそりを持った櫛歯６にし、同様な突き刺し、掬い、からませる機能をもたせ、又、スプーン部２までかかるフォーク部３の櫛歯６の根元部分までスプーン部２の凹み４を連続延長させて、スプーン部と同様な凹み５にすることで、スプーンの凹み部を増やし従来のスプーンの掬う機能に近似させたことを特徴としている。【選択図】  図４
2010148756.tif 000002
【特許請求の範囲】
【請求項１】
飲食用に使用する掬う機能を持つスポーンと突き刺し、掬い、からませる機能を持つフォークとを組み合わせたフォーク兼用スプーンにおいて、柄部の一端に備えられるスプーン部と、スプーン部の先端に設けられるフォーク部からなり、スプーン部は従来のスプーンと同様な凹みを有し掬う機能を持ち、スプーン部の先端に設けられるフォーク部はスプーン部の底部の湾曲の延長線上になるようフォーク部にそりをもたせた櫛歯を有し、従来のフォークと同様な突き刺し、掬い、からませる機能を持ち、かつ、スプーン部にフォーク部の櫛歯根元部分までスプーン部の凹みを連続延長させて、スプーン部と同様な凹みを持たせてスプーンの凹み部を増やしスプーン機能を増大させたことを特徴とするフォーク兼用スプーン。
【発明の詳細な説明】
【技術分野】
【０００１】
本発明は、飲食用に使用されるフォーク、スプーンに関する。
【背景技術】
【０００２】
従来、シチュー、グラタン、スープスパゲッティ等の料理を食べる時には、スプーンを使ってスープを掬って食べ、フォークを使って具材を掬い、突き刺し、からめたりして食べ、ナイフを使って具材を切って食べる食器具を使用することが一般的である。
【０００３】
従って、スープ等の汁物を掬って食べるときにはスプーンを使い、具材を掬い、刺したりからめたりして食べるときにはフォークを使い、あるいは切って、刺して食べるときにはフォークとナイフを使うという、それぞれの器具に持ち替える必要があった。
【０００４】
そこで、これらの欠点を改善するために、スプーンにフォーク機能をもたせてスプーンとフォークを組み合わせたフォーク兼用スプーンの構造のものが考案されている。
【０００５】
【特許文献１】実開平０６−    ２３１号公報
【特許文献２】実開平０７−４３８２３号公報
【特許文献３】登録実用新案第３０５８８０５号公報
【特許文献４】登録実用新案第３１０６４７５号公報
【発明の開示】
【発明が解決しようとする課題】
【０００６】
然しながら、従来のスプーンの先端部分まで凹みがあるものは、フォークの切り込み部分が大きくとれず従来のフォークの突き刺し、掬い、からませる役割を十分にはたせず、フォークの切り込み部分をスプーンの凹み部分までとれば、スプーン部分のへこみ部が少なくなり、スプーンの掬って食べる役割が十分にはたせない可能性がある。
そこで本発明は、スプーンにフォーク機能をもたせてスプーンとフォークを組み合わせた構造にし、従来のスプーンの凹みを持たせて掬う機能、従来のフォークの突き刺し、掬い、からませるたりできる機能をもたせたフォーク兼用スプーンを提供することにある。
【課題を解決するための手段】
【０００７】
上記課題を解決するため、本発明に係るフォーク兼用スプーンは、スプーン部の先端のフォーク部をスプーン部の底部の湾曲の延長線上に従来のフォーク形状に類似するようなそりを持った櫛歯にし、同様な突き刺し、掬い、からませる機能をもたせ、又、スプーン部までかかるフォーク部の櫛歯の根元部分までスプーン部の凹みを連続延長させて、スプーン部と同様な凹みにすることで、スプーンの凹み部を増やし従来のスプーンの掬う機能に近似させたことを特徴としている。
【発明の効果】
【０００８】
本発明は次のような効果がある。
１．スープ、等の汁物を掬って食する機能をスプーン部で、具材を突き刺し、掬い、からめて食べる機能をフォーク部で行えることで、従来のスプーン、フォークの2本を使い分けすることなく、1本のフォーク兼用スプーンで行うことで使い勝手がよくなる。
２．従来の洋食器具のスプーン、フォーク、ナイフの3本セットをフォーク兼用スプーン、ナイフの2本セットにすることで、数低減でき経済的である。
【発明を実施するための最良の形態】
【０００９】
以下、本発明の実施の形態を図１乃至図５に基づいて具体的に説明する。
【００１０】
図１、２本発明のフォーク兼用スプーンの実施例を示す正面図、側面図おいて、手で持つ部分の柄部１、柄部１の一端にスプーン部２、スプーン部２の先端にフォーク部３から構成される。
スプーン部２にはスープ、汁物等を掬い、食するための凹みを持たせ、末端のフォーク部３の櫛歯６の根元部分はスプーン部の一端までのび、スプーン部２の底部の湾曲の延長線上に従来のフォーク形状に近似した類似するようなそりをもたせる。
【００１１】
図３は図１フォーク兼用スプーンに実施例を示す正面図のＡ−Ａ断面図において、スプーン部２までかかるフォーク部３の櫛歯４の根元部分までスプーン部２の凹み５を連続延長させて、フォーク部３の櫛歯６の根元部分までスプーン部２と同様な凹み６を持たせることで、スプーンの凹み部を増やし従来のスプーンの掬う機能に近似させられる。
【００１２】
図４フォーク兼用スプーンの説明傾斜図において、フォーク部３はスプーン部スプーン部２の底部の湾曲の延長線上に従来のフォーク形状に類似したそりをもたせた櫛歯６であること、フォーク部３の櫛歯６の根元部分までスプーン部２の凹み４と同様な凹み５を持たせ従来のスプーン形状に近似させたことで図５に記載の従来のスプーン、フォークとしての両方の利用価値を失いことなく本発明のフォーク兼用スプーンで役割を果たすことができる。
【図面の簡単な説明】
【００１３】
【図１】本発明のフォーク兼用スプーンの正面図。
【図２】本発明のフォーク兼用スプーンの側面図。
【図３】図１におけるフォーク兼用スプーンのＡ−Ａ断面図。
【図４】本発明のフォーク兼用スプーンの説明傾斜図。
【図５】従来のフォーク、スプーンの正面図、側面図。
【符号の説明】
【００１４】
１  柄部
２  スプーン部
３  フォーク部
４  凹み
５  凹み
６  櫛歯
【図１】
2010148756.tif 000003
【図２】
2010148756.tif 000004
【図３】
2010148756.tif 000005
【図４】
2010148756.tif 000006
【図５】
2010148756.tif 000007
(57)【要約】【課題】日常生活のなかで常に安全で安心して足のつま先立ち運動により足腰をきたえると共に、メタボリックシンドロームの予防及び、足裏のかかとのマッサージに効果のある靴の中敷が提供されてなかった。【解決手段】本発明は、底部材(1)と柔軟性材料である外郭部材(3)を固着し、外郭部材(3)の中央部に支障片(2)を設けることを特徴とし、足のかかとを上げることは長時間続けると疲れ、筋肉の発達していない人や、メタボリックシンドロームの人に取っては大変な運動であるため、足のかかとの踏み下げに際してスポンジ素材をもちいてクッション性をだし、足のかかとの中心に球面体の支障片(2)を固着することにより、接触及び踏み込みに “やわらかさ”と“かたさ”の違和感を覚えるように足のかかと上げ運動をおこない、かつ、足裏のかかとを付けてもマッサージに効果を発揮する、きわめて安全で安心に歩行ができる靴の中敷を提供するものである。【選択図】図１
2010148540.tif 000002
【特許請求の範囲】
【請求項１】
底部材(1)とこの底部材(1)上の柔軟性材料である外郭部材(3)を固着し、外郭部材(3)の中央部に支障片(2)を設けたことを特徴とする靴の中敷。
【発明の詳細な説明】
【技術分野】
【０００１】
本発明は、日常生活のなかで常に安全で安心して足のつま先立ち運動をする事により足腰をきたえると共に、メタボリックシンドロームの予防及び、足のかかとを下げることによる足裏のかかとのマッサージに効果のある靴の中敷に関するものである。
【背景技術】
【０００２】
従来、ダイエットを目的としたスリッパは足のかかとの部分を切り落とした形状の物や足のかかとの部分をスポンジ状にした物はあった。
【０００３】
【特許文献１】特開平１１−５６４０３
【発明の開示】
【発明が解決しようとする課題】
【０００４】
従来のものでは、次のような問題点があった。
（イ）足のかかとを上げることによるつま先立ち運動及び、足のかかとを下げることによる足裏のかかとのマッサージが日常生活の中で単純に安全で安心してできる靴の中敷の形状はなかった。
（ロ）足のかかと部分を切り落とした形状の物や足のかかとの部分のスポンジ状の物は常に足のかかとを上げて置かなければ成らなく、短期間で疲れるために、筋肉の発達していない人や、メタボリックシンドロームの人に取っては大変な運動であるといった課題があった。
【課題を解決するための手段】
【０００５】
本発明は、底部材(1)とこの底部材(1)上の柔軟性材料である外郭部材(3)を固着し、外郭部材(3)の中央部に支障片(2))を設けたことを特徴とする靴の中敷である。
【発明の効果】
【０００６】
（イ）発明は以上のような構造で、これを使用するときは、足のかかとを上げることによりつま先立ち運動及び、足のかかとを下げることにより足裏のかかとのマッサージが日常生活の中で単純に安全で安心してできる靴の中敷である。
（ロ）足のかかと部分を切り落とした形状のものやスポンジ状のものは常に足のかかとを上げて置かなければ成らなく、短期間で疲れるために、筋肉の発達していない人や、メタボリックシンドロームの人に取っては大変な運動であるといった課題があったため、足のかかと部分の踏み下げに際しの接触及び踏み込みは可能だが“やわらかさ”と“かたさ”の違和感を覚えるように、足のかかとの中心に球面体の支障片(2)を固着し足のかかと上げ運動をおこない、かつ、足裏のかかとを付けてもマッサージに効果を発揮する、きわめて安全で安心して歩行ができる靴の中敷である。
【発明を実施するための最良の形態】
【０００７】
以下、発明の形態について説明する。
（イ）樹脂や布製の靴の中敷である底部材(1)とこの底部材(1)上のスポンジ素材の柔軟性材料である外郭部材(3)を足裏のかかと位置まわりに固着する。
（ロ）外郭部材(3)の中央部、足裏のかかとの中心位置に球面体の樹脂や金属・石材・木製の支障片(2)を固着する。
（ハ）本発明は図３に示すように、支障片(2)の頂上に樹脂や金属・石材・木製の突起材(4)を固着してもよい。
（ニ）本発明は図４に示すように、外郭部材(3)と支障片(2)の底面に両面紙粘着テープ(5)を粘着させ、スリッパの足のかかと位置に直接に接着することにより、家事、事務等の日常生活で歩行の少ない人や、サンダルや靴等にも利用でき自動車の運転手などのイスに腰掛けて仕事を続けている人には自然に運動効果もマッサージ効果も発揮する。
【０００８】
本発明は以上のような構成で、足のかかとを上げることは長時間続けると疲れ、筋肉の発達していない人や、メタボリックシンドロームの人に取っては大変な運動であるため、足のかかとの踏み下げに際してスポンジ素材の柔軟性材料である外郭部材(3)をもちいてクッション性をだし足裏のかかとを包み込むことができ、足裏のかかとの中心位置に球面体の支障片(2)を固着し、接触及び踏み込みは可能だが“やわらかさ”と“かたさ”の違和感を覚えるように足のかかと上げ運動をおこない、かつ、足裏のかかとを付けてもマッサージに効果を発揮する、きわめて安全で安心に歩行ができる靴の中敷である。
【図面の簡単な説明】
【０００９】
【図１】靴の中敷の実施方法を示した斜視図である。（実施例１）
【図２】靴の中敷の実施方法を示した分離斜視図である。
【図３】靴の中敷の実施方法を示した突起材を固着した斜視図である。
【図４】スリッパのかかと部分に固着した利用実施方法を示した分離斜視図である
【図５】足のかかとを下げた実施方法を示した断面図である。
【図６】足のかかとを上げた実施方法を示した断面図である。
【符号の説明】
【００１０】
１  底部材
２  支障片
３  外郭部材
４  突起材
５  両面紙粘着テープ
6  スリッパ
【図１】
2010148540.tif 000003
【図２】
2010148540.tif 000004
【図３】
2010148540.tif 000005
【図４】
2010148540.tif 000006
【図５】
2010148540.tif 000007
【図６】
2010148540.tif 000008
(57)【要約】【課題】環境破壊の最大問題として、ＣＯ２削減の課題が重要となった昨今、多くＣＯ２を発生するものの中で、車両がガソリンや軽油などの化石燃料を使用している事である。この問題を解決する手段として、本特許の方法を採用すれば大いにＣＯ２削減に奇与できるものと信ずる。【解決手段】蓄電池式車両に現在使われている安価な蓄電池を搭載して、車両自身を低価格にして普及化をはかり、道路に電気を流せるレールを敷設し、車両の通過する位置のレールのみ通電できるようにして、道路脇の電線から車両を検知する検知器と開閉器とを組合せた自動開閉装置でレールへの通電を制御し、車両から集電器を降ろしてレールに接触して電気を取り入れ、モータを駆動して走行すると共に蓄電池の充電を行い乍ら、レールの続くかぎり走行してＣＯ２を削減できる車両交通システム。【選択図】図１
2010148343.tif 000002
【特許請求の範囲】
【請求項１】
電気を伝えるレールを適当な長さに切断し、その継目を絶縁して継ぎ合わせた長いレールを２本そろへ、平行を保ちながら道路上に敷き、道路脇に張られた電線から引き込まれた電気を、車両を検知して開閉器を操作する自動開閉装置を通り、夫々のレールへ通電出来るようにし、車両の通過する位置のみ自動開閉装置を作動させて、レールへ通電し、そのレールに蓄電池式車両より２本の集電器を降ろしてレールに接触させ電気を取り入れ、モータの駆動及び蓄電池の充電を行なうことにより、レールの続くかぎり走行が出来、更に車両の無いところのレールには通電しないので安全で、電気的なロスも少なく、ＣＯ２が削減できる車両交通システム。
【発明の詳細な説明】
【技術分野】
【０００１】  本発明は、現在使用されているガソリンエンジンではＣＯ２の発生が多いのが問題となっている。【０００２】  ＣＯ２削減効果のある蓄電池式車両に現在製作可能で、安価な蓄電池を搭載して車両の価格を下げて普及率を向上させ、道路に本発明の電気を取り出せるレールを敷き、蓄電池式車両を走らせて大気中に放出するＣＯ２を削減しようとする交通システムである。
【背景技術】
【０００３】  従来の蓄電池式車両は高価な蓄電池を使用して走行距離を伸ばすことに各社努力しているが、電池には希少金属等の高価な材料を使うため世界的に不足し高騰化する恐れがあり、将来の危惧すべき問題である。【０００４】  しかも蓄電池が高価になれば車両も高価になり、せっかくＣＯ２を削減に努力しても車両の普及率が下がりＣＯ２削減対策が阻害されることになる。
【発明の開示】
【発明が解決しようとする課題】
【０００５】  以上述べた、従来のように化石燃料の使用を続ければ、地球環境の温暖化問題で大変になることは言うまでもない。【０００６】  この問題を解決しようとするには、安価な蓄電池を車両に応用することが望ましい。【０００７】  蓄電池に使われる電力はＣＯ２の発生しない水力、風力等の自然エネルギーより得たもの、原子力発電、将来の核融合発電等より得た電力を使用することが良い方法である。
【課題を解決するための手段】
【０００８】  電気を伝えるレールの継目を絶縁して継ぎ合わせた長いレールを２本そろへ、道路上に敷き、道路脇に張られた電線より引き込まれた電気を、車両の通過する位置を検知して自動開閉装置によりレールへ通電し、そのレールに蓄電池式車両より２本の集電器を降ろしてレールに接触させ電気を取り入れ、モータの駆動をすると共に蓄電池の充電を行なう二つの仕事をする。【０００９】  この方式にすることにより、レールの続くかぎり充電可能となり走行距離を格段に伸ばすことが出来る。【００１０】  このレールの敷設出来ない交差点や、幹線道路以外の道では蓄電池の電力で走行する。また追越し車線を走行の場合も蓄電池の電力で走行する。【００１１】  更に車両の無いところのレールには電気が通じていないので安全であり、電気的ロスも少ない、ＣＯ２削減効果の大きい車両交通システムである。
【発明の効果】
【００１２】  化石燃料を使用しないので、ＣＯ２削減効果が大きい。【００１３】  レールの上の走行中は蓄電池は走行の動力としては使用せず、充電のみとしているので  レールの続くかぎり走行でき、走行距離を伸ばすことが出来る。【００１４】  車両の無いところのレールには通電していないので、電気のロスも少ない。【００１５】  車両の無いところのレールには通電していないので安全である。【００１６】  レールの敷設が困難なところはレールがなくても、蓄電池で走行できる。【００１７】  ゴルフカートに採用して、ゴルフ場にレールを張り巡らしてゴルフカートに搭載の蓄電池の充電を使用中に行なうことが出来るので充電場での充電はしなくてよい。【００１８】  車両のハンドル操作を自動で行なえる自動操縦装置のガイドレールとして使用することも出来る。
【発明を実施するための最良の形態】
【００１９】  以下、本発明の実施の形態を図１〜図４に基ずいて説明する。【００２０】  図１において、１はレール、２は固定具、３は絶縁材、４は自動開閉装置、５は検知器である。６は電線、７は車両、８は集電器、９はモータ、１０は蓄電池で１１は自動開閉器を過ぎてからの二次配線である。
【実施例】
【００２１】  次に動作を図１〜図４について説明をする。【００２２】  図１において、レール１は道路上に２本平行して敷設され、固定具２で固定する、絶縁材３はレール１の継目に挟んでレール間の絶縁の役目をする、空気絶縁の場合は何も入れないがゴミ、砂等がつまり絶縁を損ねることがある。【００２３】  ４は自動開閉装置で、検知器５が組み込まれていて車両７が通過の際、検知器５が作動して、４自動開閉装置内の開閉器を作動させ、６電線より引き込んだ電気をレール１に通電する。【００２４】  車両７はレール１に、８集電器を降ろして電気を取り入れながら９モータを駆動して車両７を走行させると同時に蓄電池１０に充電する。
【産業上の利用可能性】
【００２５】  ４自動開閉装置内の開閉器が頻繁に作動するので寿命対策が必要である、そのため車両がレールに乗る前と過ぎ去ってからの無負荷時に開閉器を作動することで寿命を伸ばす事が可能となる。【００２６】  レール１は磨耗の場合、容易に交換できるよう対策が必要で、図４はその一例である。【００２７】  地球上の環境悪化としてＣＯ２の増加による温暖化が窮迫の問題であるので、本発明のシステムの実行が急務であると考えるが、道路にレールを敷く作業の決定が如何にスムーズに進むかが焦点になる。ＣＯ２の削減のため本発明を実施し、世界の国々に先立って模範国になり、世界中の車両から出るＣＯ２を速やかに削減することを切望する。
【図面の簡単な説明】
【００２８】
【図１】  本発明の全体を示す図
【図２】  車両から集電器を降ろした部分の平面図
【図３】  ［図２］の側面図
【図４】  レールの断面図
【符号の説明】
【００２９】  １  レール
２  固定具
３  絶縁材
４  自動開閉装置
５  検知器
６  電線
７  車両
８  集電器
９  モータ
１０  蓄電池
１１  二次電線
【図１】
2010148343.tif 000003
【図２】
2010148343.tif 000004
【図３】
2010148343.tif 000005
【図４】
2010148343.tif 000006
(57)【要約】【課題】    本発明は、熊手の先端部分の巾、向きを柄の後部に取り付けた、各グリップを回す事によって、巾、向きを自由に変える事ができるので、狭い場所、幹の裏側などの落葉等をかき出すことが出来る自在熊手を提供する。【解決の手段】  熊手枠（２０）に熊手（１２）を熊手摺動軸（１８）を介して取り付け、熊手（１２）に開度調整レバー（１１）開度調整アーム（８）開度リターンスプリング（１０）開度調整ワイヤ（９）ギア付底板（１６）カバー（５）を取り付け、上部連結板（１）と下部連結板（２）で挟み込む状態でセットし、柄（３）に取り付ける、柄（３）の後部には、開度調整グリップ（１３）角度調整グリップ（１４）を取り付け、各グリップを回す事によって，熊手の開度及び、角度を自由に変える構造である。【選択図】図１
2010148489.tif 000002
【特許請求の範囲】
【請求項１】
（イ）熊手支持枠（２０）に，熊手（１２）を熊手摺動軸（１８）を介して取り付ける。
（ロ）熊手（２）に、開度調整レバー（１１）、開度調整アーム（８）、開度リターンスプリング（１０）、開度調整ワイヤ（９）、ギア付底板（１６）、カバー（５）を取り付け、上部連結板（１）と、下部連結板（２）で挟み込む状態でセットし、柄（３）に取り付ける。
（ハ）柄（３）の後部には、開度調整グリップ（１３）、角度調整グリップ（１４）を取り付け、各グリップを回す事によって、熊手の、開度及び、角度を変える構造である。
本発明は以上のように構成された自在熊手。
【発明の詳細な説明】
【技術分野】
【０００１】  本発明は、熊手の元の部分が摺動する様にし、熊手の先端の巾を、柄の後部に取り付けた、開度調整グリップを回す事によって自由に変化させ、又、熊手の向きも柄の後部に取り付けた、角度調整グリップを回すことによって、柄に対して自由に変えられるので、生垣の下など、狭い所や、幹の裏側などの落葉等も処理出来る、自在熊手に関するものである。
【技術背景】
【０００２】  従来は、生垣などの狭い場所や、奥行きの無い所の幹の裏側などの落葉をかき出すのに、無理な姿勢で、手を使って処理していた。
【発明の開示】
【発明が解決しようとする課題】
【０００３】  そのために、次のような問題点があった。
狭場所、奥行きの少ない幹の裏側などは、従来の熊手では落葉等をかき出すことができなかったが、熊手の先端部の巾を狭くしたり、向きを変えたりする事によって、狭い場所、奥行きの少ない場所等でも自在熊手によって処理することが出来る。
【問題を解決するための手段】
【０００４】（イ）熊手支持枠（２０）に、熊手（１２）を熊手摺動軸（１８）を介して取り付ける
（ロ）熊手（１２）に、開度調整レバー（１１）、開度調整アーム（８）、開度リターンスプリング（１０）、開度調整ワイヤ（１９）、ギア付底板（１６）、カバー（５）を取り付け、上部連結板（１）と下部連結板（２）で挟み込む状態でセットし、柄（３）に取り付ける。
（ハ）柄（３）の後部には、開度調整グリップ（１３）、角度調整グリップ（１４）、を取り付け、各グリップを回す事によって、熊手の開度及び、角度を変える構造である。
本発明は以上のような構成である。
本発明を使用するに当たっては、広い場所で使用するときは、熊手（１２）の巾を開度調整グリップ（１３）で広げ、角度も柄（３）と角度調整グリップで直線状態にして使用するが、狭い場所等では、熊手（１２）の巾を開度調整グリップで調整する、熊手（１２）の巾は、柄（３）と開度調整グリップ（１３）の摩擦抵抗で任意の巾に設定できる、又、角度調整グリップ（１４）で角度を変えることによって幹の裏側などの落ち葉もかき出すことが出来る。
【発明の効果】
【０００５】  奥行きの少ない狭い場所等では従来の熊手では入らない場合がある、そのため無理な姿勢で手で落葉等を出さなければならないが、自在熊手を使うことによって体の負担も軽減できる。
【発明を実施するための最良の形態】
【０００６】  以下、本発明の実施の形態を説明する。
（イ）熊手支持枠（２０）に、熊手（１２）を熊手摺動軸（１８）を介してとりつける。
（ロ）熊手（２）に開度調整レバー（１１）開度調整アーム（８）開度リターンスプリング（１０）開度調整ワイヤ（９）ギア付底板（１６）カバー（５）を取り付け、上部連結板（１）と下部連結板（２）で挟み込む状態でセットし、柄（３）に取り付ける。
（ハ）柄（３）の後部には開度調整グリップ（１３）角度調整グリップ（１４）を取り付ける。
本発明は、以上のような構造である。
【図面の簡単な説明】
【０００７】
【図１】  本発明の全体の斜視図である。
【図２】  本発明の熊手の巾を大にし、角度をつけた斜視図である。
【図３】  本発明の熊手の巾を小にし、角度をつけた斜視図である。
【図４】  本発明の熊手の巾を最大にし、上部連結板とカバーを外した状態の斜視図である。
【図５】  本発明の熊手の巾を最小にし、上部連結板とカバーを外した状態の斜視図である。
【図６】  カバー、熊手支持枠、ギア付底板を分解した斜視図である。
【図７】  角度伝達ギアの斜視図である。
【図８】  開度調整グリップ、角度調整グリップ部の組み立て斜視図である。
【図９】  開度リターンスプリング部の分解した斜視図である。
【符合の説明】
【０００８】１      上部連結板
２      下部連結板
３      柄
４      連結板固定具
５      カバー
６      ストッパー
７      熊手支点ピン
８      開度調整アーム
９      開度調整ワイヤ
１０    開度リターンスプリング
１１    開度調整レバー
１２    熊手
１３    開度調整グリップ
１４    角度調整グリップ
１５    角度伝達ギア
１６    ギア付底板
１７    フレキシブルチューブ
１８    熊手摺動軸
１９    開度調整アーム支点ピン
２０    熊手支持枠
【図１】
2010148489.tif 000003
【図２】
2010148489.tif 000004
【図３】
2010148489.tif 000005
【図４】
2010148489.tif 000006
【図５】
2010148489.tif 000007
【図６】
2010148489.tif 000008
【図７】
2010148489.tif 000009
【図８】
2010148489.tif 000010
【図９】
2010148489.tif 000011
(57)【要約】【課題】本発明は小さい種子を等間隔に蒔くための器具である。通常種子は手で蒔くが、それでは均等に蒔くことができないために、種子が１カ所に集中している所全く蒔けていない所ができる。種子を等間隔に蒔く事ができる器具を提供する。【解決手段】上板にＶ溝と等間隔の小孔と容器を設ける。上板のＶ溝の下にスライド溝を設ける。スライド溝にスライド板を設置する。スライド板にはＶ溝に設けた等間隔と同じ間隔でＶ溝の小孔より大きな中孔を設ける。上板の下面に上板と同形状の長尺状からなる下板を設ける。下板には上板のＶ溝に等間隔で設けた小孔と同じ位置に大孔を設ける。【選択図】図１
2010148490.tif 000002
【特許請求の範囲】
【請求項１】
上板にＶ溝と等間隔の小孔と容器を設け、上板のＶ溝の下にスライド溝を設け、スライド溝にスライド板を設置し、スライド板にはＶ溝に設けた等間隔と同じ間隔でＶ溝の小孔より大きな中孔を設け、上板の下面に上板と同形状の長尺状からなる下板を設け、下板には上板のＶ溝に等間隔で設けた小孔と同じ位置に大孔を設け、上板にある容器から種子がこぼれないようにカバーを設け、小さい粒子の種子がスライド板によって、上板・スライド板・下板を通って等間隔に蒔くことができる植物の種子蒔き器具。
【発明の詳細な説明】
【技術分野】
【０００１】本発明は、植物の小さい粒子の種子を整然とならべながら等間隔に種子を蒔く器具であって、間引きの回数を少なくでき、又作物を整列した形で作ることができる器具に関するものである。
【背景技術】
【０００２】従来植物の小さい粒子の種子を蒔く時、手で適当にばらまいている。そのため種子を均等に蒔くことができなく、１ヵ所に種子が集まってしまったり、全く蒔けていない所ができたりしている。
【発明の開示】
【発明が解決しようとする課題】
【０００３】植物の小さい粒子の種子を家庭菜園・プランター等に蒔く時、次のような問題点があった。種子が均等に蒔くことができず、１ヵ所に集まった状態になったり、全く蒔けていない所ができる。そのため、作物が等間隔に作ることができなく、又間引きをする時大変面倒である。本発明はこれらの問題点を解決するためになされたものである。
【課題を解決するための手段】
【０００４】上板にＶ溝と等間隔の小孔と容器を設ける。上板のＶ溝の下にスライド溝を設ける。スライド溝にスライド板を設置する。スライド板にはＶ溝に設けた等間隔と同じ間隔でＶ溝の小孔より大きな中孔を設ける。上板の下面に上板と同形状の長尺状からなる下板を設ける。下板には上板のＶ溝に等間隔で設けた小孔と同じ位置に大孔を設ける。上板にある容器から種子がこぼれないようにカバーを設ける。本発明は以上の構成よりなる、小さい粒子の種子がスライド板によって、上板・スライド板・下板を通って等間隔に蒔くことができる器具である。
【発明の効果】
【０００５】本発明は従来手で種子を蒔いていたものを、本発明器具を使用することによって家庭菜園やプランターの表面に種子を均一に蒔くことができ、又育成中の苗の間引き回数を少なくすることができ、さらに均一に蒔く事によって種子の量を少なくすることができる。
【発明を実施するための最良の形態】
【０００６】以下、本発明の最良の実施の形態を説明する。
（イ）プラスチックなどの材質からなる長尺状の上板（２）の縦長方向の両端に種子（１１）を入れておく容器（３）を設ける。
（ロ）上板（２）の縦長方向の中央に、断面がＶ字状の溝（４）を設け、溝（４）の両端は容器（３）に連設される。
（ハ）溝（４）の底面に縦長方向に等間隔に下方に貫通する小孔（５）を設ける。
（ニ）溝（４）の底面に長尺状のスライド溝（７）を設け、スライド溝（７）を縦長方向に往復運動可能にするスライド板（６）を設ける。
（ホ）スライド板（６）はスライド溝（７）よりやや長めであり、スライド板（６）の両端はスライド溝（７）より両側に露出する。
（ヘ）スライド板（６）は、縦長方向に等間隔に下方へ貫通する中孔（８）を設け、中孔（８）は小孔（５）より大きな径とする。
（ト）上板（２）の下面に上板（２）と同形状の長尺状からなる下板（９）を設ける。
（チ）下板（９）の縦長方向の中央に等間隔に下方に貫通する大孔（１０）を設ける。大孔（１０）は中孔（８）よりやや大きな径とする。
（リ）上板（２）に種子（１１）を入れておく容器（３）より種子（１１）がこぼれないように上板（２）にカバー（１）をつける。
本発明は以上の構成よりなる。
本発明を使用するときは、上板（２）よりカバー（１）をはずし容器（３）に複数の種子（１１）を入れ上板（２）にカバー（１）をかぶせ種まきに使用する。容器（３）の種子（１１）は、溝（４）に流れて入り、小孔（５）より下方へ落ち、さらにスライド板（６）を前後に可動することによりスライド板（６）の中孔（８）を通過し、下板（９）の大孔（１０）より下方へ落下し、所望する場所に確実かつ等間隔に種子（１１）が蒔かれる。なおスライド板（６）が溝（４）の小孔（５）を塞いでいるときは種子（１１）は蒔かれない。
【図面の簡単な説明】
【０００７】
【図１】本発明の外観斜視図
【図２】本発明の分離斜視図
【図３】本発明の要部拡大断面図
【図４】本発明の要部拡大断面図
【図５】本発明の要部拡大断面図
【符号の説明】
【０００８】（１）カバー、（２）上板、（３）容器、（４）溝、（５）小孔、（６）スライド板、（７）スライド溝、（８）中孔、（９）下板、（１０）大孔、（１１）種子
【図１】
2010148490.tif 000003
【図２】
2010148490.tif 000004
【図３】
2010148490.tif 000005
【図４】
2010148490.tif 000006
【図５】
2010148490.tif 000007
(57)【要約】【課題】  従来病院の空気は患者の寄るところであり、それはいろいろな菌が集結するところでもある、そして院内感染の危惧されるところでもあった事は、国民周知の事でもあったが治療を行うところでもある事から良い対策が待ちのぞまれていた。オゾンを使用しても空気の中の結核菌は殺菌できなかった。今日まで病院内の結核感染防止対策としては部屋の空気の入れ替え、また患者のいる部屋の場合は空気が廊下等に漏れないように、部屋の空気の気圧は低圧室の設定と適切な方法はなかった。現実の問題としては一人結核患者が発見されると、入院患者を巻き込んだ院内従事者、共々の集団感染事故が何年か置きに報告されているのが現実である。【解決手段】  空気を殺菌浄化する収納体の一部から空気を取りこみ、とりこんだ空気は、ヒドロキシラジカルを連続発生させている空間を設け、そこを通過させて、結核菌を殺菌することである。【選択図】  図３
2010148823.tif 000002
【特許請求の範囲】
【請求項１】
空気を殺菌清浄化する収納体の一部から、空気を取り込み、取り込んだ空気は、ヒドロキシラジカルを連続発生させている空間を設け、そこを通過させる事により結核菌を殺菌する空気殺菌機。  
【請求項２】
殺菌風洞の中で二重に空気の通過フィルターを設けオゾンの当たる一面は、連続で清水により洗浄していても、水滴や霧等が飛ばないようにフィルターが設置してある構造の空気殺菌機。
【請求項３】
殺菌風洞のなか、連続洗浄されている１フィルターにオゾン  (O3)  を衝突させる構造の空気殺菌機。
【発明の詳細な説明】
【技術分野】
【０００１】
空気中の結核菌の殺菌をするための機械である。
【背景技術】
【０００２】
従来、病院等の結核菌にたいする対応は室内の空気の総入れ替え又は患者のいる部屋は空気が廊下等に漏れ出ない様に低圧室にして管理する、また医師や看護師は医療用N９５マスク(息が苦しくなるため使用限度１５分)して作業しているのが実情であった。
【特許文献１】特開２００２−２８２３４６号
【発明の開示】
【発明が解決しようとする課題】
【０００３】
従来、環境管理の中、オゾン発生機等、空気清浄機は種々な製品があったが空気中の結核菌を殺菌して感染を防止出来るものはなかった。国の医療費の増加は３３兆円を超え(平成１７年度)２４%の約８兆円は国民の税の負担となっている。その内の３兆円は院内感により生ずる医療費である事より、今日までなかった、空気中の結核菌を殺菌し結核の院内感染を防止しようとしたものである。病院の待合室や診察室は病菌の集約されている環境である、例えば大病院になると月平均2〜３０人の結核患者が来院されると言われている。
【課題を解決するための手段】
【０００４】
空気を殺菌浄化する収納体の８一部から空気を取りこみ、とりこんだ空気は、ヒドロキシラジカルを連続発生させている４空間を設け、そこを通過させる事により、結核菌を殺菌する空気殺菌機
【発明の効果】
【０００５】
上記の如く結核感染防止機の開発により病院は菌の集約所でもあり、衛生環境の向上に役立つ事が出来、院内従事者はもちろんの事、国民の感染防止に役立ち、又国の医療費の節約にも、少しでも役に立つことが出来るのである。
【発明を実施するための最良の形態】
【０００６】
以下、本発明の実施形態を図１〜図２に基づいて説明する。
図中(１)  は殺菌風洞の中に設けられて、連続で洗浄されている「洗浄フィルター」で
ある。
(２)  はオゾンガスをオゾン発生機より送風している管である。
(３)  は洗浄化された水を水槽から汲み上げてフィルターを連続洗浄の為に洗浄水
を送っている管である。
(４)  ヒドロキシラジカルの発生空間であり、その空間は霧等が飛ばない様にした
空気の殺菌空間としての働きをする大切な空間である。
(５)  循環しながら、フィルターを連続洗浄している水の洗浄化水槽。
(６)  フィルターの洗浄の終わった水が水槽に還流していく管。
(７)  オゾン発生機
(８)  汚染空気の吸入口
(９)  殺菌風洞の中の空気を吸引し洗浄化した空気を部屋に還流させるモーター
(10)  清浄化した空気を部屋に還流させる還流口
【０００７】
殺菌風洞の中でヒドロキシラジカルを発生させる空間は、従来のようにオゾンと霧や水
滴等と混同する殺菌等の方法ではなく「霧や水滴等とオゾン混同しては、むしろ負の作用
が働くので、図1の  (１)  の拡大図  (図３)  について説明すると、右側の空間部分には、洗浄水が霧や水滴等がネットを越えない、飛ばない様にして、連続洗浄するフィルター。それは図の左半分に、連続して洗浄水をかけフィルター全体が連続洗浄される様に水量等バランス等とれる、フィルター使用の構造の空気殺菌機。
【図面の簡単な説明】
【０００８】
【図１】この発明の正面図である
【図２】この発明の斜視図である
【図３】図1の  (１)  の部分の正面拡大図である
【図１】
2010148823.tif 000003
【図２】
2010148823.tif 000004
【図３】
2010148823.tif 000005
(57)【要約】      （修正有）【課題】温水中で下半身を無重力化し足腰の筋力鍛錬を促進するトレ−ニングバスを提供する。【解決手段】内部ステップを利用し下半身を無重力状態にする深さの浴槽と湯量により、体力のない老人でも容易に足腰の筋力鍛錬できる。【選択図】図１
2010148838.tif 000002
【特許請求の範囲】
【請求項１】
浴槽壁（１）の内外に複数のステップ（２）を設け、下半身を無重力にする深さのトレ−ニングバス。
【発明の詳細な説明】
【技術分野】
【０００１】  この発明は浮力を利用し、下半身を無重力にする深さのトレ−ニングバスに関するものである。
【背景技術】
【０００２】  従来足腰に疾患を持ち立ち坐り中強い痛みを感じる人は鎮痛に横臥を余儀なくされ、結果的に足腰の筋力低下を来し歩行困難（寝たきり）になってしまう。
【発明の開示】
【発明が解決しようとする課題】
【０００３】  足腰に疾患を持つ人が寝たきりにならないためには、足腰にそれなりの鍛錬が必要である。しかし上半身体重がかかったままの鍛錬は激痛を伴うため、体重負担軽減上プ−ル内歩行が一般に行われてきた。しかしプ−ルへの行き帰りは本人は元より介護の家族にとっても手段的、時間的、経済的にかなり負担が多く肝心の継続性困難。
本発明は以上の欠点をなくすためになされたものである。
【課題を解決するための手段】
【０００４】    （イ）出来るだけ簡単な構造にする。
（ロ）加熱器（ガス式又は電気式又は両者の適宜併用）の設置。
▲１▼春秋水温  約３８℃〜４０℃
▲２▼夏  水温  約３５℃〜３８℃
▲３▼冬  水温  約４２℃〜４３℃
（ハ）冬季は防寒のため浴槽上にほぼ密閉式のフ−ドを用いる。
本発明は以上の構成よりなる下半身を無重力にする深さのトレ−ニングバスである。
【発明の効果】
【０００５】    （イ）足腰疾患者に対する温浴効果と深さから来る豊かな湯量感で心が癒される。
（ロ）足踏み運動が楽に出来る。
（ハ）浴槽内２段目ステップの両端を掴み少し肘を広げ浴槽壁面に接し上半身を固定        すると、下半身が浮き上がり楽に自転車漕ぎ運動が継続できる。
（ニ）必要な継続性が容易に維持でき効果が上がる。
（ホ）介護予防に役立つ。
【発明を実施するための最良の形態】
【０００６】    以下本発明を実施するための最良の形態について説明する。
（イ）湯量節約のため両肩が両側の浴槽内壁（４）に触れない程度の幅の浴槽壁（１        ）とする。
（ロ）側面部浴槽壁（４）の長さは湯量節約のため、自転車漕ぎ運動時足が後部浴槽        壁（５）に触れない程度の長さにする。（身長１８０ｃｍ以下なら８０ｃｍで十        分）
（ハ）浴槽の深さは１２０ｃｍ、使用水位は１００ｃｍとする。
（ニ）浴槽壁（１）の内外に設置のステップ（３）は安全のため幅、踏み代は広めに        してある。
（ホ）材質はステンレスで保温のため外回りに３０ｍｍの発砲スチロ−ルを貼り付け        、更にビニ−ル性布で被覆。
本発明は以上のような構造である。
【図面の簡単な説明】
【０００７】
【図１】本発明の斜視図である。
【符号の説明】
【０００８】１  前部浴槽壁
２  中空管手すり
３  ステップ
４  側面部浴槽壁
５  後部浴槽壁
【図１】
2010148838.tif 000003